(57)【特許請求の範囲】
【請求項１】
金属製の円筒容器の周囲に着脱自在に装着される胴部装着体を備え、かつ円筒容器の底部に着脱自在に装着される下部装着体と、円筒容器の上部に着脱自在に装着される上部装着体の少なくとも一方を備えており、
前記胴部装着体が、放射線遮蔽機能を有する金属材料を含んで変形可能に形成された胴部遮蔽層と、前記胴部遮蔽層を覆うシートとを有し、
前記下部装着体が、放射線遮蔽機能を有する金属材料を含む下部遮蔽層と、前記下部遮蔽層を覆うシートとを有し、前記上部装着体が、放射線遮蔽機能を有する金属材料を含む上部遮蔽層と、前記上部遮蔽層を覆うシートとを有していることを特徴とする放射線遮蔽装着体。
【請求項２】
前記胴部装着体は、円筒容器の胴部に巻き付けるものであり、前記胴部装着体を円筒容器の胴部に巻き付けた状態で固定する締結部材が設けられている請求項１記載の放射線遮蔽装着体。
【請求項３】
前記下部装着体は、締結部材を介して前記胴部装着体に連結される請求項１または２記載の放射線遮蔽装着体。
【請求項４】
前記上部装着体は、締結部材を介して前記胴部装着体に連結される請求項１ないし３のいずれかに記載の放射線遮蔽装着体。
【請求項５】
前記胴部遮蔽層を構成する金属材料は、多数本の鉛毛の集合体または変形可能な厚さの鉛板である請求項１ないし４のいずれかに記載の放射線遮蔽装着体。
【請求項６】
金属製の円筒容器が、請求項１ないし５のいずれかに記載の放射線遮蔽装着体で覆われていることを特徴とする放射線遮蔽容器。
【発明の詳細な説明】
【技術分野】
【０００１】
本発明は、放射性物質で汚染された汚染物を収納する円筒容器に着脱自在に装着される放射線遮蔽装着体および円筒容器が放射線遮蔽装着体で覆われた放射線遮蔽容器に関する。
【背景技術】
【０００２】
放射性物質で汚染された汚染物質を運搬し保管する放射線遮蔽容器として以下の特許文献１と特許文献２などに記載されているものが知られている。
【０００３】
特許文献１に記載された放射線遮蔽容器は、鋼製オープンドラム缶である胴体の内部に、鋼管部材で構成された大きさの異なる複数の収納容器が収納されている。
【０００４】
特許文献２に記載された放射線遮蔽容器は、規格ドラム容器の内部にステンレス鋼で形成された筒が多重に重ねられて収納されており、筒と筒との隙間内に、鉛やタングステンまたはコンクリートなどの放射線遮蔽体が配置されている。
【先行技術文献】
【特許文献】
【０００５】
【特許文献１】特開２００７−５１９０８号公報
【特許文献２】特開２０１０−８２２４号公報
【発明の概要】
【発明が解決しようとする課題】
【０００６】
特許文献１や特許文献２に記載された放射線遮蔽容器は、原子力プラントで発生する比較的濃度の高い放射線を発する放射性廃棄物を保管するのを主たる目的として使用されるものである。
【０００７】
一方、現在、放射線で汚染された場所でいわゆる除染作業が行われようとしている。一連の除染作業は、土地の表面から削られた土壌や雑草や枯葉などの低濃度の放射線を発する放射性汚染物質を除染現場で収集して容器に収納する。また、汚染物質は、収集現場から一時保管場所に運搬され、さらに、一時保管場所から中間貯蔵施設に運搬される。汚染物質を容器に入れるときから運搬作業まで、容器からの放射線を抑制するための遮蔽が必要である。
【０００８】
特許文献１や特許文献２に記載された放射線遮蔽容器は、いずれもドラム缶の内部に複数の鋼管または鉛やコンクリートを入れたものであるため、放射線遮蔽容器そのものの重量が大きくなって取り扱いが難しく、除染現場から一時保管場所への汚染物質の運搬や、一時保管場所から中間処理貯蔵施設への運搬作業への使用に適しておらず、また、上記運搬作業のために繰り返して使用することも実質的に不可能である。しかも、ドラム缶の内部に放射線の遮蔽構造を内蔵しているため、汚染物質を収納できる領域の体積容量が小さくなっており、汚染物質の収納効率および運搬効率が非常に悪くなる。
【０００９】
本発明は上記従来の課題を解決するものであり、土壌などの比較的低濃度の放射線を発生する放射性汚染物質を運搬する際に、放射線を遮蔽でき、しかも運搬や保管の際に繰り返して使用することが可能な放射線遮蔽装着体および放射線遮蔽容器を提供することを目的としている。
【００１０】
また、本発明は、汚染物質を収納するのにドラム缶を使用したときに、その内部容量を汚染物質の収納や運搬のために効率よく使用できる放射線遮蔽装着体および放射線遮蔽容器を提供することを目的としている。
【課題を解決するための手段】
【００１１】
本発明は、金属製の円筒容器の周囲に着脱自在に装着される胴部装着体を備え、かつ円筒容器の底部に着脱自在に装着される下部装着体と、円筒容器の上部に着脱自在に装着される上部装着体の少なくとも一方を備えており、
前記胴部装着体が、放射線遮蔽機能を有する金属材料を含んで変形可能に形成された胴部遮蔽層と、前記胴部遮蔽層を覆うシートとを有し、
前記下部装着体が、放射線遮蔽機能を有する金属材料を含む下部遮蔽層と、前記下部遮蔽層を覆うシートとを有し、前記上部装着体が、放射線遮蔽機能を有する金属材料を含む上部遮蔽層と、前記上部遮蔽層を覆うシートとを有していることを特徴とするものである。
【００１２】
例えば、前記胴部装着体は、円筒容器の胴部に巻き付けるものであり、前記胴部装着体を円筒容器の胴部に巻き付けた状態で固定する締結部材が設けられているものとして構成される。
【００１３】
上記のように、胴部装着体を平板形状または帯状に形成して、円筒容器の胴部に巻き付けて締結部材で固定することで、円筒容器に対して容易に着脱することができる。ただし本発明の放射線遮蔽装着体は、胴部装着体が円筒形状であり、円筒容器に対して上方から挿通されて装着される構造であってもよい。
【００１５】
この場合に、前記下部装着体は、締結部材を介して前記胴部装着体に連結される。また、前記上部装着体は、締結部材を介して前記胴部装着体に連結される。
【００１６】
本発明では、前記胴部遮蔽層を構成する金属材料が、多数本の鉛毛の集合体または変形可能な厚さの鉛板である。ただし、放射線遮蔽機能を有していれば他の金属材料を使用することが可能である。
【００１７】
本発明の放射線遮蔽容器は、金属製の円筒容器が、前記放射線遮蔽装着体で覆われていることを特徴とするものである。
【発明の効果】
【００１８】
本発明の放射線遮蔽装着体は、金属製の円筒容器の胴部周囲に装着することで、円筒容器の内部の汚染物質からの放射線を遮蔽することができる。円筒容器は規格化されたドラム缶を使用することができ、特別な円筒容器を用意する必要がない。また、ドラム缶などの円筒容器の広い内部空間の全域を汚染物質の収納に使用することができる。
【００１９】
ドラム缶などの円筒容器に放射線遮蔽装着体が装着された放射線遮蔽容器は、円筒容器内に汚染物質を入れた状態で除染現場に仮り置きすることができ、また一時保管場所や中間貯蔵施設に一定期間保管しておくことが可能である。ただし、放射線遮蔽容器を一時保管場所や中間貯蔵施設に運搬した後に、放射線遮蔽装着体を円筒容器から外して、次の円筒容器の運搬作業に繰り返して使用することが可能である。
【００２０】
また、胴部装着体は変形容易な構造であるため、使用しないときは平坦に近い状態に変形させて、狭いスペースに数多く保管しておくことが可能である。
【図面の簡単な説明】
【００２１】
【図１】本発明の第１の実施の形態を示すものであり、（Ａ）は、ドラム缶に放射線遮蔽装着体を装着した放射線遮蔽容器の外観を示す正面図、（Ｂ）はその平面図、
【図２】円筒容器の一例であるドラム缶を示す正面図、
【図３】（Ａ）は、図１（Ｂ）の放射線遮蔽容器をＡ−Ａ線で切断した断面図、（Ｂ）は図１（Ａ）の放射線遮蔽容器をＢ−Ｂ線で切断した断面図、
【図４】図３（Ｂ）のＣ部を拡大した拡大断面図、
【図５】図３（Ａ）のＤ部を拡大した拡大断面図、
【図６】図３（Ａ）のＥ部を拡大した拡大断面図、
【図７】本発明の第２の実施の形態を示すものであり、（Ａ）は、ドラム缶に放射線遮蔽装着体を装着した放射線遮蔽容器の外観を示す正面図、（Ｂ）はその平面図、
【図８】（Ａ）は、図７（Ｂ）の放射線遮蔽容器をＡ−Ａ線で切断した断面図、（Ｂ）は図７（Ａ）の放射線遮蔽容器をＢ−Ｂ線で切断した断面図、
【図９】図８（Ａ）のＥ部を拡大した拡大断面図、
【図１０】本発明の第３の実施の形態を示すものであり、（Ａ）（Ｂ）は、図３（Ａ）（Ｂ）に相当する断面図、
【図１１】図１０（Ａ）のＥ部を拡大した拡大断面図、
【図１２】本発明の第４の実施の形態を示すものであり、（Ａ）（Ｂ）は、図３（Ａ）（Ｂ）に相当する断面図、
【図１３】図１２（Ａ）のＤ部を拡大した拡大断面図、
【発明を実施するための形態】
【００２２】
図２に示している円筒容器１は、規格化されたものであり、鋼板で構成された容量が２００リットルのドラム缶である。本発明で使用される円筒容器１は、鋼板で構成された容量が５００リットルなどのドラム缶であってもよいし、鋼板以外の例えばアルミニウム板などで構成された除染用の専用容器であってもよい。
【００２３】
図２に示す円筒容器１は円筒状の胴部２を有し、底部が底板４で塞がれている。この円筒容器１は除染作業で収集された土壌や雑草や枯葉などの低濃度の汚染物質を上方から投入して収納するものであるため、上部は開口しており、円盤状の蓋体３で塞ぐことができる構造である。
【００２４】
図１と図３に示すように、円筒容器１を収納する放射線遮蔽装着体は、円筒容器１の胴部２の周りに着脱自在に装着される胴部装着体１０と、円筒容器１の上部を覆う上部装着体２０と、円筒容器１の底部を覆う下部装着体３０とで構成されている。
【００２５】
図３（Ｂ）に示すように、胴部装着体１０は板状または帯状であり、円筒容器１の胴部２の外周に巻き付けることができる長さ寸法を有し、図３（Ａ）に示すように、胴部２の上下全域を覆うことができる幅寸法を有している。
【００２６】
図５の断面図に示すように、胴部装着体１０は、一定の厚さの胴部遮蔽層１１と、胴部遮蔽層１１の外面を覆う可撓性の外面シート１２と、胴部遮蔽層１１の内面を覆う可撓性の内面シート１３とを有して構成されている。図５に示すように、胴部装着体１０の上側の側端部１０ａにおいて、外面シート１２と内面シート１３が熱シールまたは接着剤を介して接合されている。同様に、図６に示すように、胴部装着体１０の下側の側端部１０ｂにおいても、外面シート１２と内面シート１３とが接合されている。
【００２７】
図４に示すように、胴部装着体１０は、巻き付け方向に向けられる第１の端部１０ｃと第２の端部１０ｄにおいて、外面シート１２と内面シート１３とが接合されている。 外面シート１２と内面シート１３は熱シールや縫合によって接合されている。
【００２８】
胴部遮蔽層１１は、円筒容器１の胴部２の外面に巻き付けることができるように、軟質で変形可能である。胴部遮蔽層１１は、例えば太さが０．２〜０．８ｍｍの鉛毛（鉛繊維）と、これとほぼ同じ太さのガラス繊維との混合体であり、鉛毛とガラス繊維がポリ塩化ビニル（ＰＶＣ）やその他の合成樹脂材のバインダーで接合されている。胴部遮蔽層１１の厚さ寸法は３〜２０ｍｍ程度であり、外力で比較的容易に変換可能である。なお、胴部遮蔽層１１は変形可能な厚さの鉛板で形成することができ、または放射線遮蔽機能を発揮できる他の金属材料で形成することも可能である。
【００２９】
外面シート１２と内面シート１３は、合成樹脂シート、ナイロン繊維などの合成樹脂繊維と合成樹脂シートとの複合材料、金属網や樹脂網などの補強材（割り布）が樹脂シートに積層された積層体などの可撓性のシートで構成されている。
【００３０】
図１（Ａ）および図４に示すように、胴部装着体１０の外面シート１２の外面に、締結ベルト１４と、先部に締結金具を有する締結ベルト１５が固定されている。締結ベルト１４，１５は、ナイロンなどの合成樹脂材料の編み込みシート、ナイロン繊維などの合成樹脂繊維と合成樹脂シートとの複合材料、金属網や樹脂網などの補強材（割り布）が樹脂シートで挟まれた積層体などで構成されている。
【００３１】
締結ベルト１４は複数設けられ、それぞれの基部が外面シート１２の表面に熱シールや接着剤を用いた接合あるいは縫合手段などで固定され、先部が胴部装着体１０の第１の端部１０ｃから延び出ている。他方の締結ベルト１５も複数設けられ、それぞれの基部が外面シート１２に接合されている。
【００３２】
図３（Ａ）と図５に示すように、上部装着体２０は、円筒容器１の蓋体３の上方を覆う円形の蓋部２０ａと蓋部２０ａの外周に連続して下向きに円筒状に延びる周環部２０ｂとが一体に設けられている。上部装着体２０の蓋部２０ａと周環部２０ｂは、上部遮蔽層２１と、その外面を覆う外面シート２２と、上部遮蔽層２１の内面を覆う内面シート２３とが積層されて構成されている。周環部２０ｂの下縁部２０ｃにおいて、外面シート２２と内面シート２３とが接合されている。
【００３３】
上部遮蔽層２１は、胴部装着体１０の胴部遮蔽層１１と同じ構造であり、外面シート２２と内面シート２３は、胴部装着体１０の外面シート１２および内面シート１３と同じ素材で形成されている。
【００３４】
胴部装着体１０の外面シート１２の表面に、複数の締結ベルト２４の基端部が固定されている。上部装着体２０の周環部２０ｂに設けられた外面シート２２の表面に、先部に締結金具を有する締結ベルト２５の基端部が固定されて、締結金具を有する先部が周環部２０ｂの下縁部２０ｃよりも下側に位置している。
【００３５】
図１（Ｂ）に示すように、上部装着体２０の蓋部２０ａを構成する外面シート２２の表面に、上部装着体２０を持ち上げる際に使用する取っ手ベルト３６の両端部が接合されている。取っ手ベルト３６は、締結ベルト２４などと同じ素材で形成されている。
【００３６】
図３（Ａ）と図６に示すように、下部装着体３０は、円筒容器１の底板４を覆う底部３０ａと、底部３０ａの外周から上向きに円筒状に延びる周環部３０ｂとが一体に設けられている。下部装着体３０の底部３０ａと周環部３０ｂは、下部遮蔽層３１と、その外面を覆う外面シート３２と、その内面を覆う内面シート３３とが積層されて構成されている。周環部３０ｂの上縁部３０ｃにおいて、外面シート３２と内面シート３３とが接合されている。
【００３７】
下部遮蔽層３１は、胴部装着体１０の胴部遮蔽層１１と同じ構造であり、外面シート３２と内面シート３３は、胴部装着体１０の外面シート１２および内面シート１３と同じ素材で形成されている。
【００３８】
胴部装着体１０の外面シート１２の下部表面に、複数の締結ベルト３４の基端部が固定されている。下部装着体３０の周環部３０ｂに設けられた外面シート３２の表面に、先部に締結金具を有する締結ベルト３５の基端部が固定されて、締結金具を有する先部が周環部３０ｂの上縁部３０ｃよりも上側に延びることができるようになっている。
【００３９】
図１（Ａ）に示すように、上部装着体２０の周環部２０ｂの外面シート２２の表面に、スリング通し４１が取り付けられ、下部被覆体３０の周環部３０ｂの外面シート３２の表面にスリング通し４２が取り付けられている。スリング通し４１，４２は、締結ベルトと同じ材料で形成され、または金属や強化プラスチックで構成されている。図１（Ｂ）に示すように、スリング通し４１とスリング通し４２は、９０度の配置間隔で４箇所に設けられている。全体を持ち上げるためのスリング４３は、下部装着体３０の底部３０ａの下面に配置されるとともに、それぞれのスリング通し４１とスリング通し４２に挿通されて上方へ延び出るように取り付けられる。
【００４０】
次に、第１の実施の形態の放射線遮蔽装着体を円筒容器１に装着して放射線遮蔽容器を構成する組立作業を説明する。
【００４１】
上方が開口しているドラム缶などの円筒容器１に、除染作業で生じた土壌、草木、枯葉、土砂などの汚染物質を投入する前に、円筒容器１に放射線遮蔽装着体を装着する。ただし、円筒容器１に内容物を投入した後に、円筒容器１に放射線遮蔽装着体を装着してもよい。
【００４２】
装着作業は、板状または帯状の胴部装着体１０を円筒容器１の胴部２の回りに巻き付け、図３（Ｂ）と図４に示すように、胴部装着体１０の第１の端部１０ｃと第２の端部１０ｄとを重ね合わせ、複数箇所にて第１の端部１０ｃから延び出る締結ベルト１４を、第２の端部１０ｄから延び出る締結ベルト１５の先部の締結金具に巻きつけて連結し、締結ベルト１４と締結ベルト１５で、胴部装着体１０を胴部２に締め付ける。
【００４３】
円筒容器１の底部に対しては、下部装着体３０を装着する。下部装着体３０の底部３０ａで円筒容器１の底板４が覆われ、下部装着体３０の周環部３０ｂで、胴部装着体１０の下端部分が覆われる。胴部装着体１０から延びる締結ベルト３４を下部装着体３０から延びる締結ベルト３５の締結金具に巻き付けて連結し、締結ベルト３４，３５を締め付けることで、下部装着体３０が底部にしっかりと取り付けられる。
【００４４】
円筒容器１に胴部装着体１０と下部装着体３０が取り付けられた後に、円筒容器１の胴部２の内部に汚染物質を投入し、胴部２の上方の開口部を金属製の蓋体３で覆う。図５に示すように、胴部２の上方開口部を蓋体３で覆った後に、蓋体３の縁部の複数箇所に金属製またはプラスチック製のフック４５を掛け、フック４５で蓋体３を保持させるとともに、胴部装着体１０の上部を胴部２の外面に押し付けて設置状態を安定させる。
【００４５】
複数のフック４５は、胴部装着体１０の外面シート１２の表面に予め固定しておくことが好ましい。この場合、円筒容器１に内容物を入れて蓋体３を閉じた後に、フック４５を蓋体３の縁部に引っ掛けながら胴部装着体１０を胴部２に巻き付けることで、比較的質量の大きい胴部装着体１０を円筒容器１に巻き付けやすくなる。
【００４６】
その後、蓋体３の上方を上部装着体２０で覆い、上部装着体２０の周環部２０ｂで、胴部装着体１０の上方部分とフック４５とを覆う。胴部装着体１０から上方に延びる締結ベルト２４を、周環部２０ｂから下向きに延びる締結ベルト２５の締結金具に巻き付けて連結し、締結ベルト２４，２５を締め付けることで、上部装着体２０が上部に強固に取り付けられる。
【００４７】
図４に示すように、胴部装着体１０は、第１の端部１０ｃと第２の端部１０ｄが重ねられ、胴部遮蔽層１１の端部どうしが重ねられて胴部２に締め付けられるため、胴部２の外周を胴部遮蔽層１１によって隙間無く覆うことができる。円筒容器１の底板４も、下部装着体３０の底部３０ａの下部遮蔽層３１により覆われている。さらに、胴部装着体１０の下部が下部装着体３０の周環部３０ｂと重ねられ、胴部装着体１０の胴部遮蔽層１１と周環部３０ｂの下部遮蔽層３１とが重ねられており、胴部装着体１０と下部装着体３０とのつなぎ部を遮蔽層で隙間無く覆うことができる。同様に、上部装着体２０の蓋部２０ａで蓋体３の全域が覆われているとともに、周環部３０ｂが胴部装着体１０の表面に重ねられているため、胴部装着体１０と上部装着体２０とのつなぎ部も遮蔽層で隙間無く覆うことができる。
【００４８】
したがって、円筒容器１の内部の汚染物質からの放射線が放射線遮蔽容器の外部に出るのを抑制することができる。
【００４９】
図１（Ｂ）に示すように、スリング４３が下部装着体３０の下面に設置され、下部装着体３０の周環部３０ｂに取り付けられた４箇所のスリング通し４２と、上部装着体２０の周環部２０ｂに取り付けられた４箇所のスリング通り４１に通されたスリング４３が上部装着体２０よりも上方に延びている。クレーンなどでスリング４３を引き上げることで、汚染物質を内蔵した放射線遮蔽容器を持ち上げることができる。
【００５０】
図１に示す実施の形態では、スリング通し４１，４２が上部装着体２０と下部装着体３０に取り付けられ、胴部装着体１０に取り付けられていない。そのため、予めスリング通し４１，４２にスリング４３を通しておき、スリング４３を介して上部装着体２０と下部装着体３０を連結させておくことができる。この場合、円筒容器１の胴部２に胴部装着体１０を装着した後に、スリング４３で連結された上部装着体２０と下部装着体３０を円筒容器１の下部と上部に装着することが可能になる。
【００５１】
図１に示すように、胴部装着体１０と上部装着体２０ならびに下部装着体３０で円筒容器１が覆われた放射線遮蔽容器を用いて、汚染物質を除染現場に一時保管することができ、また除染現場から一時保管場所へ運搬することができ、さらに一時保管場所から中間貯蔵施設へ運搬することができる。胴部装着体１０と上部装着体２０ならびに下部装着体３０で円筒容器１を覆った状態でそれぞれの施設で保管を継続してもよいが、実施の形態の放射線遮蔽装着体は、汚染物質を入れた円筒容器１をそれぞれの施設に運搬した後に、胴部装着体１０と上部装着体２０ならびに下部装着体３０を円筒容器１から取り外し、さらに汚染現場へ戻して、新たなドラム缶などの円筒容器１に装着して、繰り返し使用することが可能である。
また、ドラム缶などの円筒容器も繰り返して使用することが可能である。
【００５２】
次に、放射線遮蔽装着体および放射線遮蔽容器の他の実施の形態を説明する。以下の実施の形態では、第１の実施の形態と同じ構造部分に同じ符号を付して詳しい説明を省略し、主に第１の実施の形態と相違する箇所を説明する。
【００５３】
図７ないし図９に示す第２の実施の形態は、円筒容器１に下部装着体３０Ａが装着される。下部装着体３０Ａは、円筒容器１の底板４の下側に設置される底部３０ａと、円筒容器１の胴部２の下部に設置される周環部３０ｂを有している。
【００５４】
この実施の形態は、最初に円筒容器１の下部に下部装着体３０Ａを装着し、その後に胴部装着体１０を胴部２に巻き付ける。その後に、胴部装着体１０に取り付けられた締結ベルト３４と下部装着体３０Ａに取り付けられた締結ベルト３５で締め付けて、下部装着体３０Ａと胴部装着体１０とを連結させる。
【００５５】
図７と図８に示す第２の実施の形態は、ドラム缶などの円筒容器１の底板４の下に下部装着体３０を装着した後に、円筒容器１を立てたまま胴部装着体１０を胴部２に巻き付けることができるため、組立て作業が容易である。
【００５６】
図７に示すように、下側のスリング通し４２は、胴部装着体１０の下部において外面シート１２に取り付けられている。スリング４３を、予め胴部装着体１０のスリング通し４２と上部装着体３０のスリング通し４１に通しておき、胴部装着体１０を胴部２に巻き付けるときに、スリング４３を円筒容器１に装着された下部装着体３０Ａの下に入り込ませる。そして、上部装着体２０を装着することで、円筒容器を遮蔽層で覆うことができ、さらにスリング４３で持ち上げることが可能になる。
【００５７】
図１０と図１１に示す第３の実施の形態では、第１の実施の形態や第２の実施の形態で用いられた下部装着体３０，３０Ａが使用されていない。第３の実施の形態では、円筒容器１の内部に汚染物質を投入する前に、円筒容器１の内部に敷設遮蔽体５０を入れ、底板４の内側に敷設する。図１１に拡大して示すように、敷設遮蔽体５０は、敷設遮蔽層５１と、敷設遮蔽層５１の両面を覆うシート５２，５３を有している。敷設遮蔽層５１は、胴部装着体１０の胴部遮蔽層１１と同じ構造であり、シート５２，５３は、胴部装着体１０の外面シート１２および内面シート１３と同じ材料で形成されている。
【００５８】
第３の実施の形態では、空の円筒容器１の内部に敷設遮蔽体５０を入れて、底板４の内側に敷設し、さらに胴部装着体１０を装着した後に汚染物質が投入される。そして、蓋体３で閉じた後に、上部装着体２０が装着される。
【００５９】
この場合も、図７と同様に、胴部装着体１０に取り付けられたスリング通し４２と上部装着体２０に取り付けられたスリング通し４１を通過させたスリング４３を、円筒容器１の底板４の下側に巻きかけ、スリング４３を使用してクレーンなどで全体を吊り上げることができる。
【００６０】
または、スリング４３を使用せず、上部装着体２０を装着する前に、ドラム缶リフターを使用して、円筒容器１の開口部の縁を保持して持ち上げてトラックなどに載置し、その後に上部装着体２０を装着してもよい。
【００６１】
図１２と図１３に示す第４の実施の形態は、放射線遮蔽装着体が胴部装着体１０のみで構成されており、上部装着体２０と下部装着体３０が使用されていない。
【００６２】
円筒容器１の胴部２に胴部装着体１０が装着され、容器の内部の底板４の上に、図１０と図１１に示したのと同じ敷設遮蔽体５０が敷設され、その後に円筒容器１の内部に汚染物質が投入される。
【００６３】
円筒容器１内に汚染物質が投入された後に、カバー遮蔽体６０を内容物の上に設置した後に、円筒容器１の開口部が蓋体３で塞がれる。そして、クリップ４５で、蓋体２の縁部が保持され且つ胴部装着体１０の上部が保持される。
【００６４】
図１３に示すように、カバー遮蔽体６０は、カバー遮蔽層６１とこれを覆うシート６２，６３を有している。敷設遮蔽体５０とカバー遮蔽体６０は、全く同じものであり、区別なく使用することができる。
【００６５】
第４の実施の形態では、胴部装着体１０に取り付けられたスリング通しにスリング４３を通し、スリング４３を円筒容器１の底部に掛けて、吊り上げが可能にしてもよいし、ドラム缶リフターを使用して持ち上げることもできる。
【００６６】
また、本発明の放射線遮蔽容器は、円筒容器１の下部に前記下部装着体３０，３０Ａが装着され、円筒容器１の上部では、上部装着体２０を用いずに、前記可バー遮蔽体６０を用いてもよい。
【００６７】
前記各実施の形態では、胴部装着体１０が締結金具を有する締結ベルト１４，１５で締め付けられ、胴部装着体１０と上部装着体３０との間、ならびに胴部装着体１０と下部装着体２０との間も締結金具を有する締結ベルトで連結されているが、この締結ベルトを締結金具ではなくバックルで結合したり、面ファスナーを使用して連結してもよい。
【００６８】
さらに、胴部装着体１０は、それ自体が円筒形状に形成されて、ドラム缶である円筒容器１の外側に上方から挿通させて装着するものであってもよい。
【符号の説明】
【００６９】
１  円筒容器
２  胴部
３  蓋体
４  底板
１０  胴部装着体
１１  胴部遮蔽層
１２  外面シート
１３  内面シート
１４，１５  締結ベルト
２０  上部装着体
２０ａ  蓋部
２０ｂ  周環部
２１  上部遮蔽層
２２  外面シート
２３  内面シート
２４，２５  締結ベルト
３０  下部装着体
３０ａ  底部
３０ｂ  周環部
３１  下部遮蔽層
３２  外面シート
３３  内面シート
３４，３５  締結ベルト
４１，４２  スリング通し
４３  スリング
５０  敷設遮蔽体
６０  カバー遮蔽体
【図１】
0005882078.tif 000002
【図２】
0005882078.tif 000003
【図３】
0005882078.tif 000004
【図４】
0005882078.tif 000005
【図５】
0005882078.tif 000006
【図６】
0005882078.tif 000007
【図７】
0005882078.tif 000008
【図８】
0005882078.tif 000009
【図９】
0005882078.tif 000010
【図１０】
0005882078.tif 000011
【図１１】
0005882078.tif 000012
【図１２】
0005882078.tif 000013
【図１３】
0005882078.tif 000014